(57)【要約】      （修正有）【課題】コーヒー液の濃度を調整することが可能なポットを提供する。【解決手段】第１開口を有する第１収容室１１が設けられている主容器１と、第２収容室２１を有し、第２収容室の両端には、第２開口と、少なくとも一つの漉し口とがそれぞれ設けられている入れ容器２と、を含むポットにおいて、主容器に突起１３からなる第１係合構造が設けられ、入れ容器に溝２６からなる第２係合構造とが設けられている。入れ容器は、少なくとも二つの角度で主容器の第１収容室に置き入れることが可能であり、第１角度で主容器に置き入れると、入れ容器の漉し口は、主容器の第１収容室の裏面に接触して閉鎖状態となり、第２角度で主容器に置き入れると、第１係合構造が第２係合構造と係合して、入れ容器が宙に浮いている状態になって、漉し口が開放状態となる。【選択図】図４
0003194916.tif 000002
【実用新案登録請求の範囲】
【請求項１】
第１開口を有する第１収容室が設けられている主容器と、
第２収容室を有し、前記第２収容室の両端には、第２開口と、少なくとも一つの漉し口とがそれぞれ設けられている入れ容器と、を含むポットにおいて、
前記主容器に第１係合構造が設けられており、前記入れ容器に第２係合構造とが設けられており、前記入れ容器は、少なくとも二つの角度で前記主容器の前記第１収容室に置き入れることが可能であり、前記入れ容器を第１角度で前記主容器に置き入れると、前記入れ容器の前記漉し口は、前記主容器の前記第１収容室の裏面に接触して閉鎖状態となり、前記入れ容器を第２角度で前記主容器に置き入れると、前記第１係合構造が前記第２係合構造と係合して、前記入れ容器が宙に浮いている状態になって、前記漉し口が開放状態となることを特徴とするポット。
【請求項２】
前記第１係合構造は突起を有し、前記第２係合構造は溝を有し、前記入れ容器を前記第２角度で前記主容器に置き入れると、前記突起が前記溝と嵌合することを特徴とする、請求項１に記載のポット。
【請求項３】
前記主容器の前記第１収容室の裏面に支持リブが少なくとも一つ設けられており、前記入れ容器を前記第２角度で前記主容器に置き入れると、前記入れ容器が前記支持リブに当接することを特徴とする、請求項１に記載のポット。
【請求項４】
前記入れ容器の前記第２収容室の裏面にリブが複数設けられていることを特徴とする、請求項１に記載のポット。
【請求項５】
前記入れ容器の前記第２開口のエッジには、外側へ延びる凸縁が設けられており、前記主容器の前記第１開口のエッジに凹みが設けられており、前記入れ容器を前記第１角度で前記主容器に置き入れると、前記入れ容器の前記凸縁が前記主容器の前記第１開口のエッジに当接して、前記凸縁と前記凹みの間に隙間が存在することを特徴とする、請求項１に記載のポット。
【請求項６】
前記入れ容器の前記漉し口に近接する一端には、環状を呈する台座が設けられており、前記台座は前記漉し口を囲み、前記漉し口の高さは前記台座の底部よりも高いことを特徴とする、請求項１に記載のポット。
【請求項７】
前記入れ容器は、その断面形状がほぼ楕円形を呈し、その直径が前記第１開口から前記漉し口へ徐々に縮径することを特徴とする、請求項１に記載のポット。
【請求項８】
前記入れ容器と前記主容器との断面形状はほぼ楕円形を呈し、前記入れ容器を前記第１角度で前記主容器に置き入れるときには、前記入れ容器と前記主容器との横断面の長手方向が互いに平行し、前記入れ容器を前記第２角度で前記主容器に置き入れるときには、前記入れ容器と前記主容器との横断面の長手方向が互いに垂直することを特徴とする、請求項１に記載のポット。
【請求項９】
更に、蓋を含み、前記蓋は、前記主容器の前記第１開口を被ることが可能であり、その表面が前記入れ容器の底部の輪郭に対応し、前記入れ容器は前記蓋に置いて互いに係合することが可能であることを特徴とする、請求項１に記載のポット。
【請求項１０】
更に、蓋を含み、前記蓋は前記主容器の前記第１開口を被ることが可能であり、前記蓋には、スプーンを挟んで固定可能な挟み口が設けられていることを特徴とする、請求項１に記載のポット。
【考案の詳細な説明】
【技術分野】
【０００１】
本考案は、お茶又はコーヒーを入れるためのポットに関するものである。
【背景技術】
【０００２】
生活レベルの向上及び国民所得の増加に従って、コーヒーを飲む国民が徐々に増加しており、コーヒーショップも増加している。コーヒーを入れる方式が多いが、異なる入れ方式は異なるテイストを作り出す。ろ過紙が組み付けられているドリッパーにコーヒー粉末を投入して、お湯を注ぐことにより、コーヒーを入れるという方式がよく見られる。このような方式により、お湯がコーヒー粉末に含有するコーヒーの成分を溶け出して、コーヒー液は、ろ過紙を通過して、ユーザに飲用されることが可能である。ドリッパーが容器の上部を跨るように設けられていることにより、コーヒー液がろ過紙を通過して容器に流入する。しかし、このような方式によれば、液体のろ過紙内に滞在する時間の長さを制御することができないため、得られるコーヒー液の濃度が流速及び温度などの要素に影響されて、期待の濃度を有するコーヒー液を得ることができない。
【考案の概要】
【考案が解決しようとする課題】
【０００３】
本考案の主な目的は、コーヒー液の濃度を調整することが可能なポットを提供することにある。
【課題を解決するための手段】
【０００４】
本考案のポットによると、第１開口を有する第１収容室が設けられている主容器と、
第２収容室を有し、第２収容室の両端には、第２開口と、少なくとも一つの漉し口とがそれぞれ設けられている入れ容器と、を含むポットにおいて、
主容器に第１係合構造が設けられており、入れ容器に第２係合構造とが設けられており、入れ容器は、少なくとも二つの角度で主容器の第１収容室に置き入れることが可能であり、入れ容器を第１角度で主容器に置き入れると、入れ容器の漉し口は、主容器の第１収容室の裏面に接触して閉鎖状態となり、入れ容器を第２角度で主容器に置き入れると、第１係合構造が第２係合構造と係合して、入れ容器が宙に浮いている状態になって、漉し口が開放状態となることを特徴とする。
【０００５】
本考案のポットによると、第１係合構造は突起を有し、第２係合構造は溝を有し、入れ容器を第２角度で主容器に置き入れると、突起が溝と嵌合することを特徴とする。
【０００６】
本考案のポットによると、主容器の第１収容室の裏面に支持リブが少なくとも一つ設けられており、入れ容器を第２角度で主容器に置き入れると、入れ容器が支持リブに当接することを特徴とする。
【０００７】
本考案のポットによると、入れ容器の第２収容室の裏面にリブが複数設けられていることを特徴とする。
【０００８】
本考案のポットによると、入れ容器の第２開口のエッジには、外側へ延びる凸縁が設けられており、主容器の第１開口のエッジに凹みが設けられており、入れ容器を第１角度で主容器に置き入れると、入れ容器の凸縁が主容器の第１開口のエッジに当接して、凸縁と凹みの間に隙間が存在することを特徴とする。
【０００９】
本考案のポットによると、入れ容器の漉し口に近接する一端には、環状を呈する台座が設けられており、台座は漉し口を囲み、漉し口の高さは台座の底部よりも高いことを特徴とする。
【００１０】
本考案のポットによると、入れ容器は、その断面形状がほぼ楕円形を呈し、その直径が第１開口から漉し口へ徐々に縮径することを特徴とする。
【００１１】
本考案のポットによると、入れ容器と主容器との断面形状はほぼ楕円形を呈し、入れ容器を第１角度で主容器に置き入れるときには、入れ容器と主容器との横断面の長手方向が互いに平行し、入れ容器を第２角度で主容器に置き入れるときには、入れ容器と主容器との横断面の長手方向が互いに垂直することを特徴とする。
【００１２】
本考案のポットによると、更に、蓋を含み、蓋は、主容器の第１開口を被ることが可能であり、その表面が入れ容器の底部の輪郭に対応し、入れ容器は蓋に置いて互いに係合することが可能であることを特徴とする。
【００１３】
本考案のポットによると、更に、蓋を含み、蓋は主容器の第１開口を被ることが可能であり、蓋には、スプーンを挟んで固定可能な挟み口が設けられていることを特徴とする。
【考案の効果】
【００１４】
本考案のポットによれば、コーヒー液の濃度を思うとおりに調整することが可能であるという効果を有する。
【図面の簡単な説明】
【００１５】
【図１】本考案の一実施例を示す斜視図である。
【図２】本考案の一実施例を示す分解斜視図である。
【図３】本考案の一実施例の使用状態を示す模式図である。
【図４】本考案の一実施例の使用状態を示す模式図である。
【図５】本考案の一実施例の使用状態を示す模式図である。
【図６】本考案の一実施例の使用状態を示す模式図である。
【考案を実施するための形態】
【００１６】
以下、本考案の実施の形態を図面に基づいて説明する。
図１から図３を参照する。図１は本考案の一実施例を示す斜視図であり、図２は本考案の一実施例を示す分解斜視図であり、図３は本考案の一実施例の使用状態を示す模式図である。本実施例のポットは、主容器１と、入れ容器２と、を含む。
【００１７】
主容器１の断面形状はほぼ楕円形を呈する。主容器１には、第１開口を有する第１収容室１１が設けられている。主容器１の第１収容室１１の裏面に第１係合構造が設けられている。前記第１係合構造は二つの突起１３を含む。二つの突起１３は、図２に示すように、それぞれ第１収容室１１の両側に位置する。
【００１８】
入れ容器２は、その断面形状がほぼ楕円形を呈し、その輪郭が主容器１の輪郭に対応し、主容器１の第１収容室１１に置き入れることが可能である。入れ容器２は、第２収容室２１を有し、その上下端に第２開口と複数の漉し口２２がそれぞれ設けられている。入れ容器２にろ過紙を入れることが可能である。入れ容器２の直径は、前記第２開口から漉し口２２へ徐々に縮径する。入れ容器２の漉し口２２に近接する一端には、環状を呈する台座２４が設けられている。台座２４はこれらの漉し口２２を囲む。これらの漉し口２２の高さは、台座２４の高さよりも高い（図３の視点から見る場合）。すなわち、台座２４は入れ容器２のもっとも低い箇所に位置する。入れ容器２を主容器１に置き入れると、漉し口２２と主容器１の表面に隙間が存在する。入れ容器２に第２係合構造が設けられている。前記第２係合構造は二つの溝２６を含む。二つの溝２６は、図２に示すように、台座２４の外周面の両側に設けられている。
【００１９】
入れ容器２は、少なくとも二つの角度で主容器１の第１収容室１１に置き入れることが可能である。次に、互いに垂直する二つの置き入れ角度を例にして説明する。入れ容器２を第１角度で主容器１に置き入れる場合には、入れ容器２と主容器１との長手方向が互いに平行し、入れ容器２を主容器１に完全に置き入れることが可能である。このとき、入れ容器２の上部のエッジが主容器１の上部のエッジに当接して、入れ容器２の漉し口２２が主容器１の第１収容室１１の裏面に接触して閉鎖状態となる（主容器１の裏面の底部には、漉し口２２に対応する凸部１５が設けられており、凸部１５が漉し口２２に押付けるときには、閉鎖状態となる。）。入れ容器２を第２角度で主容器１に置き入れる場合には、入れ容器２と主容器１との長手方向が互いに垂直し、前記第１係合構造が前記第２係合構造と係合して、入れ容器２が宙に浮いている状態になって、漉し口２２が開放状態となる。具体的には、入れ容器２を第２角度で主容器１に置き入れる場合には、突起１３が溝２６と嵌合して、入れ容器２の一部だけが主容器１に伸び込む。このように、漉し口２２が宙に浮いていて開放状態となる。
【００２０】
次に、本実施例の使用状態を説明する。図２及び図３を参照する。まず、入れ容器２を第１角度で主容器１に置き入れて、ろ過紙を展開して入れ容器２の第２収容室２１に組付けて、展開されたろ過紙にコーヒー粉末を投入して、適量のお湯を第２収容室２１に注ぐ。漉し口２２が主容器１に押付けて閉鎖状態となるため、第２収容室２１内にある液体は、漉し口２２を経由して主容器１に流入することができない。このように、コーヒー粉末がお湯に浸す状態を保持することが可能である。コーヒー粉末がお湯に浸す状態を終了したいときには、図４及び図５に示すように、入れ容器２を引上げて転向して第２角度で主容器１に置き入れると、入れ容器２が宙に浮いている状態になって、第２収容室２１内にある液体は、漉し口２２を経由して主容器１の第１収容室１１に流入する。このように、当該液体を飲用することが可能である。
【００２１】
このため、本実施例の長所の一つは、お湯でコーヒー粉末に含有するコーヒー成分を溶け出した後、入れ容器２を引上げて転向して第２角度で主容器１に置き入れることにより、入れ容器２が宙に浮いている状態になって、ろ過紙を通過するコーヒー液が自動的に主容器１に流入する。このとき、当該コーヒー液を飲用することが可能である。このように、本実施例に係るポットの利用は極めて簡単である。
【００２２】
また、入れ容器２を第１角度で主容器１に置き入れて、お湯にコーヒー粉末を予定の時間に浸した後、入れ容器２を引上げて第２角度で主容器１に置き入れて、コーヒー液を主容器１に流入することにより、コーヒー粉末のお湯に浸す時間の長さを制御することが可能であり、ユーザの好みによって浸し時間を調整することが可能である。すなわち、コーヒー液の濃度を調整することが可能である。もちろん、図６に示すように、入れ容器２を第２角度で主容器１に直接に置き入れて、お湯を注いでもよい。
【００２３】
一方、入れ容器２にお湯を注いでいるときには、入れ容器２が主容器１に囲まれるため、液体の零れを防止することが可能である。液体は、入れ容器２の漉し口２２から流出しても、主容器１に直接に流入するため、ユーザを火傷することや液体の零れを回避することが可能であり、安全性が極めて高い。
【００２４】
本実施例では、主容器１の第１収容室１１の裏面に支持リブ１６が複数設けられている。各支持リブ１６は、突起１３に近接する箇所に設けられている。入れ容器２を第２角度で主容器１に置き入れると、溝２６が突起１３と嵌合する他、入れ容器２の台座２４が支持リブ１６に押付ける。複数の点で接触する方式により、入れ容器２の置きはもっと安定的となる。
【００２５】
また、入れ容器２の第２収容室２１の裏面にリブ２７が複数設けられている。これにより、ろ過紙がリブ２７と接触して、ろ過紙と第２収容室２１の裏面の間に若干の隙間が存在する。このように、コーヒー液の流しが順調となり、ろ過紙が第２収容室２１の裏面に付着することを回避可能であり、ろ過紙の使用後の取除きが容易となる。
【００２６】
入れ容器２の第２開口のエッジには、外側へ延びる凸縁２８が設けられている。図２に示すように、主容器１の第１開口のエッジの両側に凹み１８がそれぞれ設けられている。このように、入れ容器２を第１角度で主容器１に置き入れると、入れ容器２の凸縁２８が主容器１の第１開口のエッジに当接して、凸縁２８と凹み１８の間に隙間が存在する。当該隙間により、ユーザは指で凸縁２８を掴んで、入れ容器２を主容器１から取り出すことが可能である。
【００２７】
一方、本実施例に係るポットは、更に、蓋３を含む。蓋３は、主容器１の第１開口を被ることが可能である。蓋３には、スプーン３０を挟んで固定可能な挟み口３１が設けられている。蓋３の表面が入れ容器２の底部（台座２４）の輪郭に対応し、入れ容器２は蓋３に置いて互いに係合することが可能である（両者には、互いに対応する凹凸の係合構造が設けられている。）。そして取り出され、又は利用された入れ容器２を蓋３の上で置くことも可能である。
【産業上の利用可能性】
【００２８】
本考案は、ポットに適用することができる。
【符号の説明】
【００２９】
１    主容器
２    入れ容器
３    蓋
１１    第１収容室
１３    突起
１５    凸部
１６    支持リブ
１８    凹み
２１    第２収容室
２２    漉し口
２４    台座
２６    溝
２７    リブ
２８    凸縁
３０    スプーン
３１    挟み口
【図１】
0003194916.tif 000003
【図２】
0003194916.tif 000004
【図３】
0003194916.tif 000005
【図４】
0003194916.tif 000006
【図５】
0003194916.tif 000007
【図６】
0003194916.tif 000008